(57)【要約】【課題】  毛を切断処理するまでに事前に外刃に入り込み易くして十分な髭剃りを行うことができる電気かみそりを提供する。【解決手段】  かみそりヘッド２の前後に外刃と内刃との組が構成され、その後の組の外刃２３が電極部として機能するので、前の組の内刃２０及び外刃２１によって髭が剃られる前に、後の組の外刃２３が電圧を印加し起毛作用及び脱毛作用を生じさせて後の組２２、２３が切断し、当該切断後も起毛作用及び脱毛作用によって切断され易い状態となって前の組２０、２１によって切断されるのでより深剃りを実現することができる。【選択図】  図６
2006223535.tif 000002
【特許請求の範囲】
【請求項１】
体毛を切断又は引き抜いて処理する体毛処理装置において、
電圧を印加する電極部を備えることを
特徴とする体毛処理装置。
【請求項２】
駆動可能な内刃と、内刃に外接する外刃とを有する電気かみそりにおいて、
電圧を印加する電極部を備えることを
特徴とする電気かみそり。
【請求項３】
前記内刃及び外刃がかみそりヘッドに配置され、
当該内刃又は外刃が前記電極部であることを
特徴とする前記請求項２に記載の電気かみそり。
【請求項４】
前記内刃と外刃との組がかみそりヘッドの前後に配置され、
当該前に配置された内刃又は外刃が前記電極部であることを
特徴とする前記請求項２に記載の電気かみそり。
【請求項５】
前記内刃と外刃との組がかみそりヘッドの前後に配置され、
当該後に配置された内刃又は外刃が前記電極部であることを
特徴とする前記請求項２に記載の電気かみそり。
【請求項６】
前記内刃と外刃との組がかみそりヘッドの前後に配置され、
当該前後の内刃と外刃との組の間にセンター刃又はくしを配置し、
当該センター刃又はくしが前記電極部であることを
特徴とする前記請求項２に記載の電気かみそり。
【請求項７】
前記外刃を保持する部材周辺又は当該外刃を保持する部材が電極部であることを
特徴とする前記請求項２に記載の電気かみそり。
【請求項８】
前記外刃では切断し難い長く伸びた毛を切断するキワゾリ刃を備え、当該キワゾリ刃が電極部であることを
特徴とする前記請求項２に記載の電気かみそり。
【請求項９】
前記キワゾリ刃をかみそりヘッドの後に配置し、少なくとも使用時に前記外刃とキワゾリ刃が等しい高さとなっていることを
特徴とする前記請求項８に記載の電気かみそり。
【請求項１０】
既に電極部となっている前記内刃、外刃、センター刃、くし、外刃を保持する部材、外刃を保持する部材周辺若しくはキワゾリ刃の他に、前記内刃、外刃、センター刃、くし、外刃を保持する部材、外刃を保持する部材周辺若しくはキワゾリ刃の少なくとも１つが電極部であることを
特徴とする前記請求項３ないし９のいずれかに記載の電気かみそり。
【請求項１１】
前記内刃が回転自在に軸支され、軸面に内刃の切断刃が形成されていることを
特徴とする前記請求項３ないし１０のいずれかに記載の電気かみそり。
【請求項１２】
前記電極部により生じた老廃物を回収する老廃物回収部を備えることを
特徴とする前記請求項１ないし１１のいずれかに記載の電気かみそり。
【請求項１３】
前記内刃が老廃物を回収することを
特徴とする前記請求項１２に記載の電気かみそり。
【請求項１４】
前記センター刃又はくし配設部分に老廃物回収部を配置することを
特徴とする前記請求項１２に記載の電気かみそり。
【発明の詳細な説明】
【技術分野】
【０００１】
本発明は、体毛を処理する体毛処理装置に関し、特に、皮膚又は毛に電圧印加を行う体毛処理装置に関する。
【背景技術】
【０００２】
背景技術となる体毛処理装置である電気かみそりとしては、特開２００１−１９８３６６号公報に開示されるものがある。この背景技術となる電気かみそりは、図１１に示すごとく本体ケース１０１の上部に、左右方向に延在して駆動される前後一対の第１内刃１０２と第２内刃１０３とが平行に支持されており、各内刃１０２・１０３にそれぞれ摺接するよう断面アーチ形に装着される第１・第２外刃１０７・１０８を備えている電気かみそりにおいて、第１外刃１０７における第１内刃１０２との内刃摺接部分１１３には、図１２に示すごとく前後方向に長い多数の長孔１１５が形成された長孔群領域Ｃを有し、第２外刃１０８における第２内刃１０３との内刃摺接部分１２１には、図１３に示すごとく前記長孔１１５よりも前後方向長さの短い多数の短孔１２２が形成された短孔群領域Ｇを有することを特徴とする。第１外刃１０７の長孔群領域Ｃでは、前後方向に長い各長孔１１５の開口面積が大きいので、長毛を誘い込みやすく長毛の切断に有効である。第２外刃１０８の短孔群領域Ｇでは、前記長孔１１５との比較においてこれよりも前後方向長さの短い短孔１２２で短毛を深剃りできる。従って本発明によれば、両外刃１０７・１０８を皮ふに押し当てて前後に動かせば、独立して異なる機能を持つ２枚の外刃１０７・１０８とこれに対応する内刃１０２・１０３とで長毛も含めて短時間で効率よく髭剃りを行える。
【特許文献１】特開２００１−１９８３６６号公報
【特許文献２】特開２０００−２１０３８５号公報
【発明の開示】
【発明が解決しようとする課題】
【０００３】
前記背景技術となる体毛処理装置である電気かみそりにおいては、穿孔の形状を長孔とすることで、長い毛、くせ毛を誘い込み易くして、誘い込んだ毛を切断しているが、長い毛の長さ、くせ毛の曲がりによっては、もはやこの長孔で誘い込むことが非常に難しい毛もあり、十分な髭剃りを行えないという課題を有する。この課題は、背景技術に示したロータリー式電気かみそり特有の問題ではなく、他の往復式電気かみそりでも同様な課題を有する。さらには、脱毛器等の電気かみそり以外の体毛処理装置も同様な課題を有する。
【０００４】
本発明は前記課題を解決するものであり、毛を切断処理するまでに事前に外刃に入り込み易くして十分な髭剃りを行うことができる電気かみそりを提供することを目的とする。
【課題を解決するための手段】
【０００５】
本発明に係る体毛処理装置は、体毛を切断又は引き抜いて処理する体毛処理装置において、電圧を印加する電極部を備えるものである。このように本発明は、体毛を処理する体毛処理装置に電圧を印加する電極部を備えるものであるので、体毛に電圧を印加しながら体毛を切断又は引き抜くことができ、単純に体毛を切断又は引き抜く場合と比べ、体毛に対してダメージを与えることができ次に体毛が表出するまでの時間を長くすることができると共に、皮膚のケアを行うこともできる。体毛処理装置の具体例として、電気かみそり、脱毛器がある。
【０００６】
また、本発明に係る電気かみそりは、電圧を印加する電極部を備えるものである。このように本発明においては、電極部が使用者の肌に対して電圧を印加するので、髭剃りだけでなく肌に対するケアも行うことができ、このケアにより髭剃りもより一層適切に行うことができる。より詳細には、クレンジングすることにより肌をケアすることにより毛穴のゴミが取り除かれ毛の自由度が大きくなり、又は、イオン導入により肌が養われ毛も柔くなり、前記内刃及び外刃により毛を深く切断できる。
【０００７】
また、本発明に係る電気かみそりは必要に応じて、前記内刃が回転自在に軸支され、前記内刃及び外刃がかみそりヘッドに配置され、当該内刃又は外刃が前記電極部であるものである。このように本発明においては、内刃が電極部として機能するので、内刃が皮膚又は毛に接触して電圧を印加し、皮膚に接触した場合には起毛させ、毛に接触した場合には脱毛作用を生じさせ、より一層の深剃りを実現することができる。また、外刃が電極部として機能するので、外刃が皮膚又は毛に接触して電圧を印加し、内刃及び外刃の切断前においては切断前において毛を起毛させ又は毛に脱毛作用を生じさせた後に切断できより一層の深剃りを実現することができ、内刃及び外刃の切断後においては切断後のデリケートな皮膚をケアすることができる。前記内刃が電極部となった場合に比べて接触時間が長いため、起毛作用及び脱毛作用も高い効果を発揮することができる。
【０００８】
また、本発明に係る電気かみそりは必要に応じて、前記内刃が回転自在に軸支され、前記内刃と外刃との組がかみそりヘッドの前後に配置され、当該前に配置された内刃又は外刃が前記電極部であるものである。このように本発明においては、かみそりヘッドの前後に外刃と内刃との組が構成され、その前の組の内刃が電極部として機能するので、後の組の内刃及び外刃によって髭が剃られた後に、残った髭に対して集中的に電圧を印加して十分な脱毛作用を生じさせることができる。また、その前の組の外刃が電極部として機能するので、後の組の内刃及び外刃によって髭が剃られた後に、残った髭に対して集中的に電圧を印加し、前の内刃及び外刃の切断前においては切断前において毛を起毛させ又は毛に脱毛作用を生じさせた後に切断できより一層の深剃りを実現することができる。ここで、かみそりヘッドの前とは使用者の使用時の手前方向のことであり、通常であればスイッチボタン、表示灯が配置されている面方向である。使用者は所謂ロータリ式電気かみそりを使用する場合には、内刃形状及び内刃の回転方向により一定方向に電気かみそりを移動して使用する必要があり、通常であれば前記使用者の使用時の手前方向から奥手方向に向って電気かみそりを移動させて髭剃りを行う必要がある。言い換えれば、キワゾリ刃等が形成されている電気かみそりの背面側を上にして髭剃りを行う。
【０００９】
また、本発明に係る電気かみそりは必要に応じて、前記内刃が回転自在に軸支され、前記内刃と外刃との組がかみそりヘッドの前後に配置され、当該後に配置された内刃が前記電極部であるものである。このように本発明においては、かみそりヘッドの前後に外刃と内刃との組が構成され、その後の組の内刃が電極部として機能するので、前の組の内刃及び外刃によって髭が剃られる前に、後の組の内刃が電圧を印加し起毛作用及び脱毛作用を生じさせて後の組が切断し、当該切断後も起毛作用及び脱毛作用によって切断され易い状態となって前の組によって切断されるのでより深剃りを実現することができる。また、その後の組の外刃が電極部として機能するので、前の組の内刃及び外刃によって髭が剃られる前に、後の組の外刃が電圧を印加し起毛作用及び脱毛作用を生じさせて後の組が切断し、当該切断後も起毛作用及び脱毛作用によって切断され易い状態となって前の組によって切断されるのでより深剃りを実現することができる。特に、後の組の外刃が電極部となる場合には、前記後の組の内刃がなる場合と比較して、接触時間が長くて高い起毛効果及び脱毛効果を発揮するだけでなく、前の組と接触する直前まで電圧を印加することができる。
【００１０】
また、本発明に係る電気かみそりは必要に応じて、前記内刃が回転自在に軸支され、前記内刃と外刃との組がかみそりヘッドの前後に配置され、当該前後の内刃と外刃との組の間にセンター刃又はくしを配置し、当該センター刃又はくしが前記電極部であるものである。このように本発明においては、かみそりヘッドの前後の外刃と内刃との組の間にセンター刃又はくしが形成され、このセンター刃又はくしが電圧を印加するので、センター刃又はくしが設けられたのはくせ毛や長い毛を切断又は整えるためであり、このようなくせ毛や長い毛に接触可能なセンター刃又はくしにより電圧が印加されることで剃り難いくせ毛や長い毛に対しても起毛作用及び脱毛作用を発揮して深剃りを実現することができる。
【００１１】
また、本発明に係る電気かみそりは必要に応じて、前記外刃を保持する部材周辺又は当該外刃を保持する部材が電極部であるので、これら部材又は部材周辺は外刃の近くにあり外刃を利用者の皮膚に接触させた場合には部材又は部材周辺にも接触するため、この部分を電極部とすることで皮膚に適切に電圧を印加することができる。
【００１２】
また、本発明に係る電気かみそりは必要に応じて、前記外刃では切断し難い長く伸びた毛を切断するキワゾリ刃を備え、当該キワゾリ刃が電極部であるものである。このように本発明は、キワゾリ刃が電極部であるので、長く伸びた毛に対しても電圧を印加することができ、例えばモミアゲ部分に対しても電圧を印加して適切に毛を切断することができる。
【００１３】
また、本発明に係る電気かみそりは必要に応じて、前記キワゾリ刃をかみそりヘッドの後に配置し、少なくとも使用時に前記外刃とキワゾリ刃が等しい高さとなっているものである。このように本発明は、使用時に前記外刃とキワゾリ刃が等しい高さとなるので、外刃及びキワゾリ刃が協働して毛を切断でき、すなわち、外刃で通常の毛を、キワゾリ刃で長い毛を切断しつつキワゾリ刃で電圧を印加し、脱毛効果を生じさせながら毛を一気に切断することができる。
【００１４】
また、本発明に係る電気かみそりは必要に応じて、既に電極部となっている前記内刃、外刃、センター刃、くし、外刃を保持する部材、外刃を保持する部材周辺若しくはキワゾリ刃の他に、前記内刃、外刃、センター刃、くし、外刃を保持する部材、外刃を保持する部材周辺若しくはキワゾリ刃の少なくとも１つが電極部であるものである。このように本発明においては、前記内刃、外刃、センター刃、くし、外刃を保持する部材、外刃を保持する部材周辺若しくはキワゾリ刃により２つ以上の電極部が構成され、より一層起毛効果、脱毛効果を生じさせて深剃りを実現することができる。一般に、イオン導入器と比べ、電気かみそりは患部との接触時間が短いが、複数電極部を構成することで短い接触時間を補うことができる。
【００１５】
また、本発明に係る電気かみそりは必要に応じて、前記内刃が回転自在に軸支され、軸面に内刃の切断刃が形成されているものである。このように本発明においては、所謂ロータリー式電気かみそりであるので、引いて切るスパイラルカットで毛の切断を行い、毛の接触時間が比較的長く、起毛作用又は脱毛作用を実現するのに好適である。ここで、脱毛作用とは、毛根を電流で完全に破壊することを意味するだけでなく、毛（毛幹、毛根、毛球、毛乳頭）に対してダメージを与えることも包含して意味することとする。
【００１６】
また、本発明に係る電気かみそりは必要に応じて、前記電極部により生じた老廃物を回収する老廃物回収部を備えるものである。このように本発明においては、老廃物回収部を備えたので、電極部の電圧印加により通常の電気かみそりと比べ髭以外の老廃物が生じるが、老廃物回収部を備えており、外刃及び内刃の切れ味が長期間維持され、適切な切断を行うことができる。
【００１７】
また、本発明に係る電気かみそりは必要に応じて、前記内刃が老廃物回収部であるものである。このように本発明においては、内刃が老廃物回収部であるので、通常内刃で剃った毛がかみそりヘッド内に落下し蓄積していき、清掃により破棄されるが、剃った毛と同様に老廃物も廃棄され、別途の清掃を必要としない。ここで、内刃を老廃物回収部とする場合には、例えば、内刃が有する複数枚の刃のうち少なくとも１つをヘラ状として実現することが望ましい。
【００１８】
また、本発明に係る電気かみそりは必要に応じて、前記センター刃又はくし配設部分に老廃物回収部を配置するものである。このように本発明においては、センター刃又はくし配設部分に老廃物回収部を配置するので、センター刃又はくしによって老廃物が除去された状態で、後続の内刃及び外刃により毛が切断され、より深く剃ることができると共に、内刃及び外刃に老廃物が付着せず、切れ味を維持することができる。
【発明を実施するための最良の形態】
【００１９】
（本発明の第１の実施形態）
本発明の第１の実施形態に係る電気かみそりについて、図１ないし図６に基づき説明する。図１は本実施形態に係る電気かみそりの正面図、図２は本実施形態に係る電気かみそりの側面図、図３は本実施形態に係る電気かみそりの上部構造説明図、図４は本実施形態に係る電気かみそりの各構成要素の分解説明図、図５は本実施形態に係る電気かみそりのパルス波形図、図６は本実施形態に係る電気かみそりの動作説明図である。
【００２０】
前記各図において本実施形態に係る電気かみそりは、駆動可能な内刃２０，２２と、この内刃２０、２２に外接する外刃２１、２３とを有する電気かみそりであって、前記内刃２０、２２と外刃２１、２３との組がかみそりヘッド２の前後に配置され、この後に配置された外刃２３が前記電極部である構成である。
【００２１】
詳細な構成としては、例えば、以下のような構成のロータリー式電気かみそりに本発明を適用した。この電気かみそりの主な構成としては、各種操作スイッチが正面に配設された本体ケース１と、この本体ケース１の上部に配設されたかみそりヘッド２と、本体ケース１の内部に配設され、モータ２４に電流供給を行う充電電池３９を有する電装ユニット３とがある。ただし、本実施形態では、ロータリー式電気かみそりについて説明するが、往復式電気かみそりに適用することもできる。
【００２２】
前記本体ケース１は、上部拡幅の筒形状であって、前記したように各種操作スイッチ、表示灯を正面に有し、これら操作スイッチ等の背面には制御回路３８を実装した制御回路基板（図示せず）が配設されている構成である。操作スイッチとしては、電源のオン／オフを行う電源スイッチ４と、複数ある駆動モードを変更するセレクトボタン５と、前記電源スイッチ５がロックされるロックつまみ６とがある。また、表示灯としては、駆動モードの状態を示すモードインジケーター７と、ひげセンサーの作動を示すセンサーランプ８と、前記充電電池３９の容量を段階的に示す残量表示ランプ９と、充電中か充電完了かを示す充電完了ランプ１０とがある。また、本体ケース１の背面に、使用者が上下にスライド可能なキワゾリつまみ１１と、スライド部分の上部に配設されたキワゾリ刃１２とを有している。
【００２３】
前記かみそりヘッド２は、前後に配設された２組の外刃（前外刃２１、後外刃２３）及び内刃（前内刃２０、後内刃２２）と、この内刃２０、２２に駆動用回転の供給源となるモータ２４と、かみそりヘッド２の構成要素が配設されたヘッドフレーム２５とからなる。このヘッドフレーム２５の上部に内刃２０、２２が支持され、下部にハウジングされたモータ２４が配設されている。また、ヘッドフレーム２５は外刃２１、２３が保形配設されている外刃ホルダーを脱着可能としている。外刃ホルダー２６には、前外刃２１と後外刃２３との間に、センター刃２７が配設されてる。このセンター刃２７も、固定外刃２９と可動内刃２８とがあり、固定外刃２９が外刃ホルダー２６に固定して配設されている。センター刃２７の使用用途とは、主に長毛やくせ毛の切断であり、前記外刃２１、２３と比べると固定外刃２９の方がかかる毛を捉え易くすべく、開口部が長孔として形成されている。
【００２４】
内刃２０、２２は、円柱に複数の金属刃を円柱面に沿ってスパイラル状に形成してなるものである。内刃の長手方向の中央部分には軸が形成され、両端には内刃ギアが配設されている。前内刃の内刃ギアと後内刃の内刃ギアが掛合している終端ギアと同軸に配設されている従動プーリーが無端ベルトを介して原動プーリーから回転を受け、内刃ギアが回動して内刃が回動する。原動プーリーは、モータ２４の出力軸から直接回転を受けるのではなく、複数のギアからなる減速伝動機構を介して回転を受ける。また、モータ２４の出力軸の回転を、ギアを介して往復運動に変え、かかる往復運動により前記センター刃２７及びキワゾリ刃１２を駆動している。
【００２５】
前記後外刃２３は皮膚に電圧を印加するため導電性部材からなり、同じく導電性部材からなり本体ケース１の手持ち部に位置する対極電極部３０と共に、人体を介して導通状態となる。実際の使用時には、後外刃２３が患部に接触し、対極電極部３０が本電気かみそりを持つ掌や手の指等と接触し、電極部１（又は対極電極部３０）から人体を介して対極電極部３０（又は電極部１）へ向かって電流が流れる。
【００２６】
前記後外刃２３への電流供給はモータ２４と同様に充電電池３９から行われる。この電流供給のラインは、図２（ｂ）に示すように、モータ２４と接続するリード線が分岐し、ヘッドフレーム２５上の内刃支持部３１に配設された内刃側金属片３２と接続し、この内刃側金属片３２が外刃ホルダー２６に配設された外刃側金属片３３と外刃ホルダー２６が本体ケース１に装着時に接続して構成されている。前記内刃側金属片３２は、内刃支持部に左右に１つずつ形成されている。そして、２つの内刃側金属片３２に対応して、外刃ホルダー２６の内側に外刃側金属片３３が２つ形成されている。後外刃２３に、内刃側金属片３２及び外刃側金属片３３を２つずつ形成したのは、後外刃２３に万遍なく電圧印加を行うためである。また、このようにリード線と金属片との構成にしたのは、外刃ホルダー２６が本体ケース１から脱着可能であり、外刃ホルダー２６装着時に導電可能である構成とすべきだからである。すなわち、全てリード線で構成した場合には、脱着が不可能となるか、脱着が困難となる。なお、図２（ｂ）中太い実線は電流供給ラインであり、点線は制御ラインであり、図２（ｂ）は制御回路３８が充電電池３９からモータ２４又は後外刃２３に供給される電流を制御していることを示している。
【００２７】
前記内刃側金属片３２に接続するリード線は１つのラインからなり、他方モータ２４に接続するリード線は２つのラインからなる。前者リード線、内刃側金属片３２及び外刃側金属片３３を介して電極部である後外刃２３から電圧が印加され、人体を通して対極電極部３０へ電流が流れるため、リード線のラインは１つでよい。
【００２８】
制御基板に実装されている制御回路は、各種入力スイッチからの入力を受け、モータ２４、表示ランプ、電極部としての後外刃２３への電流供給を制御する。制御回路は、充電電池３９の前面に位置し、制御電流の供給源として充電電池３９から電流供給を受ける。制御回路は、使用者のセレクトボタン５の押下によってモータ２４の制御を変え、オートモード、パワフルモード、ターボモードの３つのモードを実現している。オートモードは、ひげの量に応じてモータの回転数を変えるモードであり、高回転数のパワフル状態と、低回転数のマイルド状態とをひげの量に応じて切り替えている。前記パワフルモードは、パワフル状態を固定して維持して動作するモードである。前記ターボモードは、パワフル状態時の回転するより高い回転数で動作するモードである。制御回路は現在どのモードにあるかを記録し、次回起動時には前回終了時のモードから開始される。前記セレクトボタン５の押下の度に、オートモード、パワフルモード、ターボモードと繰り返し変移する。
【００２９】
以上のいずれのモードにおいても、後外刃２３に電圧を印加することができる。セレクトボタン５を長押しすることにより、制御回路が後外刃２３に電圧を印加する状態となる。実際には、制御回路により検出電流を後外刃２３に流し、実際に使用者が後外刃２３を皮膚に接触させているか否かを検出する。検出電流が人体を介して対極電極部３０から検出された場合には、皮膚に後外刃２３が接触されていると制御回路は判別し、通常の電圧印加を行う。電圧印加中も制御回路は対極電極部３０からの電流を検出しており、かかる電流の検出が中止された場合には、使用者が使用を停止したと認識でき、再び検出電流のみを流す状態となる。
【００３０】
前記通常の電圧印加とは検出用の電圧印加ではないという意味であるが、検出用の電圧レベルと通常の電圧レベルが同じではないという限定的な意味が必ずしもあるわけではない。すなわち、電圧レベルの相違だけでなく、パルス幅、パルス数として相違もあるからである。この電圧の印加に仕方により複数のモードを実現することができ、皮膚の深部に蓄積している毒素や老廃物を除去するクレンジングモード、顔面皮膚の穴を拡張及び縮小させ色艶の良い弾力性のある皮膚に維持させるマッサージモード、皮膚の深部に化粧水等の養分を浸透させるイオン導入モード、及び、皮膚の毛穴を拡縮させ張りのある皮膚を保持させるリフティングモードがある。各モードのパルス波形を図５に示した。本実施形態においては、クレンジングモードのパルス波形を用いる。ここで、他のパルスを波形を用い、スイッチ操作によりモード変移する構成にすることもできる。
【００３１】
前記各モードの表示ランプの表示形態は、オードモードにおいてはパワフル状態時にモードインジケーター７が濃い青色に点灯し、マイルド状態時にモードインジケーター７が淡い青色に点灯し、どちらの状態であってもセンサーランプ８が点灯する。パワフルモードにおいては、センサーランプ８は消灯し、モードインジケーター７が濃い青色に点灯する。ターボモードにおいては、同様にセンサーランプ８は消灯し、モードインジケーター７がオレンジ色に点灯する。
【００３２】
次に、本実施形態に係る電気かみそりの動作について説明する。電源スイッチ４をONにすることで、制御回路は記録している前回終了時のモードを読み出し、モータ２４を回転させる。モータ２４が回転することで、モータ２４の出力軸が回転し、減速伝動機構を介して原動プーリーが回転し、無端ベルトを介して従動プーリーが回転し、この従動プーリーの同軸の終端ギアが回転し、終端ギアの回転を受け掛合している内刃ギアが回転し、内刃２０、２２が回転する。内刃の回転と同様に、モータ２４の出力軸が回転し、ギアを介して往復運動に変え、かかる往復運動により前記センター刃２７を駆動している。この内刃２０、２２の回転中に、キワゾリつまみ１１を使用者が押し上げた場合には、センター刃２７への往復運動がキワゾリ刃１２に伝動し駆動させることができる。
【００３３】
以上の電気かみそりの通常の動作に加えて、使用者がセレクトボタンを長押しすることで、前記制御回路の制御により電極部である後外刃２３にまず検出電流が流れ、検出電流が対極電極部３０で検出された場合には、クレンジングモードのパルス波形を後外刃２３に出力する。このクレンジングモードの電圧印加状態において、図６（ａ）に示すように電気かみそりのモータ２４を駆動させ前内刃２０及び後内刃２２を回転することにより、まず、図６（ｂ）に示すように後外刃２３の孔から突出しているひげは後内刃２２が後外刃２３と共に切断し、後外刃２３の電圧印加により毛穴のよごれが除去され、図６（ｃ）に示すように曲がったひげが毛穴のよごれがなくなったことにより曲折自由となって内刃２０の孔から突出し、前内刃２０及び前外刃２１により切断される。
【００３４】
このように本実施形態に係る電気かみそりによれば、かみそりヘッド２の前後に外刃２１、２３と内刃２０、２２との組が構成され、その後の組の外刃２３が電極部として機能するので、前の組の内刃２０及び外刃２１によって髭が剃られる前に、後の組の外刃２３が電圧を印加し起毛作用及び脱毛作用を生じさせて後の組が切断し、当該切断後も起毛作用及び脱毛作用によって切断され易い状態となって前の組によって切断されるのでより深剃りを実現することができる。
【００３５】
なお、本実施形態に係る電気かみそりは、後外刃２３の代わりに前内刃２０が電極部として機能することもでき、後内刃２２及び後外刃２３によって髭が剃られた後に、残った髭に対して集中的に電圧を印加して十分な脱毛作用を生じさせることができる。ここで、前内刃２０を電極部と機能させるためには、前記外刃側金属片３３及び内刃側金属片３２を形成することなく、例えば、内刃２０の軸にリード線を延出形成し接続することで実現することができる。ロータリー式電気かみそりの内刃は、通常軸面に切断刃を複数形成し、所定厚み樹脂形成し、切断刃が所定高さ表出した構成となっている。したがって、軸心にリード線を介して電圧を印加することで切断刃にも電圧を印加することができる。
【００３６】
また、本実施形態に係る電気かみそりは、後外刃２３の代わりにその前外刃２１が電極部として機能することもでき、後内刃２２及び後外刃２３によって髭が剃られた後に、残った髭に対して集中的に電圧を印加し、前内刃２０及び前外刃２１の切断前においては切断前において毛を起毛させ又は毛に脱毛作用を生じさせた後に切断できより一層の深剃りを実現することができる。
【００３７】
また、本実施形態に係る電気かみそりは、後外刃２３の代わりにその後内刃が電極部として機能するので、前内刃２０及び前外刃２１によって髭が剃られる前に、後内刃２２が電圧を印加し起毛作用及び脱毛作用を生じさせて後内刃２２及び後外刃２３が切断し、当該切断後も起毛作用及び脱毛作用によって切断され易い状態となって前のセットによって切断されるのでより深剃りを実現することができる。
【００３８】
また、本実施形態に係る電気かみそりは、かみそりヘッド２の前後の外刃及び内刃の組の間にセンター刃２７が形成され、このセンター刃２７が電圧を印加するので、センター刃２７が設けられたのはくせ毛や長い毛を切断又は整えるためであり、このようなくせ毛や長い毛に接触可能なセンター刃２７により電圧が印加されることで剃り難いくせ毛や長い毛に対しても起毛作用及び脱毛作用を発揮して深剃りを実現することができる。ここで、前内刃２０を電極部と機能させるためには、前記外刃側金属片３３及び内刃側金属片３２を形成することなく、例えば、センター刃２７又はくしにリード線を延出形成し接続することで実現することができる。
【００３９】
また、本実施形態に係る電気かみそりは、後外刃２３に加えて、前記前内刃２０、前外刃２１、後前刃２２若しくはセンター刃２７の少なくなくとも１つを電極部とすることで２つ以上の電極部が構成され、より一層起毛効果、脱毛効果を生じさせて深剃りを実現することができる。すなわち、イオン導入器と比べ、電気かみそりは患部との接触時間が短いが、複数電極部を構成することで短い接触時間を補うことができる。
【００４０】
また、本実施形態に係る電気かみそりは、リード線及び金属片により後外刃２３への電圧印加を可能としたが、導通可能であれば他の構成を適用することもでき、例えば、リード線とプラグ及びジャックによる構成にすることもできる。詳細には、外刃ホルダー２６にプラグを形成し、ヘッドフレーム２５にジャックを形成し、このジャックにリード線を接続することにより、外刃ホルダー２６の本体ケース１への装着状態でプラグがジャックに挿設された状態となって導通可能となる。
【００４１】
また、本実施形態に係る電気かみそりは、バイブレータを備えることもでき、バイブレータの振動により電極部でのクレンジング等の効果を著しく高めることができる。ここで、別途偏心させたおもりを回転させることにより振動を発生させることができるバイブレータを適用することもできるが、内刃２０、２２の回転をモータの駆動、停止を繰り返して実現することもでき、別途の構成を設けることなく、実現することもできる。また、通常電気かみそりは振動しており、このような通常の振動であっても、クレンジング等の効果を高めることができる。すなわち、このような電気かみそりに電圧印加の構成を適用することは、それだけで一定の効果を有することとなる。また、電気かみそりの構成の中には、振動（音も含まれる）を抑制する構造を採用しているが、このような構造を適用しないことにより、振動を大きくすることができ、クレンジング等の効果を高めることもできる。
【００４２】
また、本実施形態に係る電気かみそりは、外刃２１、２３の全面のうち、一部を導通可能とし、他の部分を導通不可とする構成にすることもでき、導通可能な部分に集中的に電圧印加を行わせることもでき、さらに、消費電力の観点からも望ましい。
【００４３】
また、本実施形態に係る電気かみそりは、外刃の孔の形状については説明していないが、前外刃２１の孔に比べ後外刃２３の孔を小さく形成することもでき、後外刃２３は電圧印加の接触面積が広くなり円滑にクレンジングを実行することができる共に、前外刃２１はクレンジング後の皮膚に対して大きな孔でひげを確実に捕え切断することができる。
【００４４】
また、本実施形態に係る電気かみそりは、かみそりヘッド２が首振りしない構成としたが、前記内刃側金属片３２に接続するリード線に余裕を持たせて長く構成することで、首振りする構成にすることもできる。
【００４５】
また、本実施形態に係る電気かみそりは、かみそりヘッド２が首振りしない構成としたが、首振り構成とし、首振りをロックした場合にだけ、すなわち、かみそりヘッド２が直立し傾動していない場合だけ、かみそりヘッド２とかみそりヘッド２下の本体ケース１の上部とに配設された金属片が接続状態になるようにし、電圧を印加する構成にすることもできる。
【００４６】
また、本実施形態に係る電気かみそりは、モータ２４の駆動と後外刃２３への電圧印加とは独立したものとなっていたが、モータ２４の駆動と後外刃２３への電圧印加とを協働させた構成にすることもでき、モータ２４が駆動している場合にのみ後外刃２３への電圧印加が可能とすることで余計な検出電流の出力を抑えることもできる。
【００４７】
また、本実施形態に係る電気かみそりが水洗い可能であり、水洗い時にモータ２４を駆動させて洗浄する場合であっては、外内刃２３に電圧を印加することができないように構成することもでき、水が接触した状態で外内刃２３に電圧印加することで過電流の発生を抑え、使用者への危険を防止し、及び回路のショートを防止することができる。ここで、本実施形態においては、外内刃２３の電圧印加をセレクトボタン５の長押しにより設定するので、使用者が誤って設定する可能性が低く、水洗時の電圧印加の可能性はほとんどない。
【００４８】
また、本実施形態に係る電気かみそりは前内刃２０、前外刃２１、センター刃２７、後内刃２２及び後外刃２３の３枚刃の構成となっているが、１つの内刃及び外刃からなる所謂一枚刃の電気かみそりであっても、かかる一枚刃の内刃又は外刃を電極部とした構成にすることもできる。内刃が電極部である場合には、内刃が皮膚又は毛に接触して電圧を印加し、皮膚に接触した場合には起毛させ、毛に接触した場合には脱毛作用を生じさせ、より一層の深剃りを実現することができる。また、後刃が電極部である場合には、外刃が電極部として機能するので、外刃が皮膚又は毛に接触して電圧を印加し、内刃及び外刃の切断前においては切断前において毛を起毛させ又は毛に脱毛作用を生じさせた後に切断できより一層の深剃りを実現することができ、内刃及び外刃の切断後においては切断後のデリケートな皮膚をケアすることができる。
【００４９】
また、本実施形態に係る電気かみそりは後内刃２３の代わりにキワゾリ刃１２を電極部とすることもでき、長く伸びた毛に対しても電圧を印加することができ、例えばモミアゲ部分に対しても電圧を印加して適切に毛を切断することができる。このキワゾリ刃１２はキワゾリつまみ１１をスライドさせてキワゾリ刃１２部分を外刃２１、２３より高くして単独して使用することもできるが、後記の説明で用いる図７（ｂ）の電極部３５と同様に外刃２１、２３と同じ高さにして使用することで、外刃２１、２３及びキワゾリ刃１２が協働して毛を切断でき、すなわち、外刃２１、２３で通常の毛を、キワゾリ刃１２で長い毛を切断しつつキワゾリ刃１２で電圧を印加し、脱毛効果を生じさせながら毛を一気に切断することができる。
【００５０】
また、本実施形態に係る電気かみそりは後内刃２３の代わりに前記外刃２１、２３を保持する部材周辺又は当該外刃２１、２３を保持する部材を電極部にすることもでき、この部材又は部材周辺は外刃２１、２３の近くにあり外刃を利用者の皮膚に接触させた場合には部材又は部材周辺にも接触するため、この部分を電極部とすることで皮膚に適切に電圧を印加することができる。具体的には、外刃を保持する部材は、外刃ホルダー２６のことである。この外刃ホルダー２６は、外刃２１、２３を保形保持する内ケース２６ａと、内ケース２６ａを支持する外ケース２６ｂとからなる。この内ケース２６ａ、外ケース２６ｂのどちらを電極部とすることもできるが、外刃２１、２３と隣接する内ケース２６ａを電極部とするのが望ましい。
【００５１】
また、本実施形態に係る電気かみそりは後外刃２３を電極部にしたが、一般的に電気かみそりは外刃が内刃に摺接した構成になっており、どちらも導電性のもので構成した場合には、一方の外刃又は内刃を電極部とした場合には他方の内刃又は外刃にも電圧が印加されるが、一方を導電性のないもの、導電性の低いもので成形した場合には、他方のみを電極部とする構成にすることもできる。
【００５２】
（本発明の第２の実施形態）
本発明の第２の実施形態に係る電気かみそりについて、図７に基づき説明する。図７は本実施形態に係る電気かみそりの側面図を示す。
本実施形態に係る電気かみそりは、前記第１の実施形態と同様に構成され、後外刃２３が電極部を構成せず、別途本体ケースの前面にキワゾリつまみ１１及びキワゾリ刃１２と対称に電極つまみ３４及び電極部３５を形成した構成である。
【００５３】
この電極つまみ３４はキワゾリつまみ１１と同様にスライドさせることができ、図７（ｂ）に示す状態にすることができ、スライド後は電極部３５が外刃２１、２３と等しい高さとなる。このように等しい高さにすることで、後外刃２３、前外刃２１、電極部３５の順に皮膚に当接し、後内刃２０及び前内刃２２と共にひげを切断した後に、電極部３５でクレンジングすることができる。
【００５４】
次に、本実施形態に係る電気かみそりの使用について説明する。本実施形態の使用動作も、通常の電気かみそりの動作としては前記第１の実施形態の使用動作と同様であり、電極部３５への電圧印加の方法が一部異なる。すなわち、前記第１の実施形態ではセレクトボタン５を長押しすることにより電極部である後外刃２３に電圧を印加することができたが、本実施形態では単にセレクトボタン５を長押しするだけでは電圧印加が生じず、電極つまみ３４をスライドさせて電極部３５を外刃２１、２３と等しい高さとした場合に、制御回路により電極部３５への電圧の印加を開始する。ただし、電極つまみ３４をスライドしなくとも、電極部３５に電圧印加をする構成にすることもできる。逆に、スライドするだけで、電圧を電極部３５に印加する構成にすることもできる。
【００５５】
このように本実施形態に係る電気かみそりは、本体ケースの前面にキワゾリつまみ１１及びキワゾリ刃１２と対称に電極つまみ３４及び電極部３５を形成するので、髭剃りだけでなく肌に対するケアも行うことができ、このケアにより髭剃りもより一層適切に行うことができる。さらに、本実施形態では、電極つまみ３４をスライドさせて電極部３５を外刃２１、２３と等しい高さとした場合に、電極部３５への電圧の印加を開始するので、必要ない場合に電圧印加を行うことなく効率的である。また、水洗い可能な電気かみそりの場合には、電極つまみ３４をスライドさせ、セレクトボタン５を長押ししなければ、電極部３５への電圧印加を開始しないので、水洗い中に電極部３５に電圧が印加されることはほとんどなく安全性が高い。
【００５６】
なお、本実施形態に係る電気かみそりは、本体ケースの前面に電極つまみ３４及び電極部３５を配設した構成としたが、電極部３５をセンター刃２７部分、キワゾリ刃１２部分に配設することもでき、それぞれ、センター刃２７、後内刃２３が電極部となった場合と同様の効果を得ることができると共に、かみそりヘッド２内に金属片、リード線が配設されず簡単な構成にすることができる。また、かみそりヘッド２が首振り可能である場合には、リード線により可動範囲が限定されることもない。
【００５７】
また、本実施形態に係る電気かみそりは、電極つまみ３４をスライドさせ、電極部３５を外刃２１、２３よりも若干高くし、電極ふまみ３４と本体ケース１との間にバネを配設しスライド下方向に浮動可能とした構成にすることもでき、使用時においては平坦な皮膚では皮膚と電極部３５とが接触しスライド下方向にスライドしつつ外刃２１、２３と等しい高さとなって電圧を印加し、顎等の曲がった部分においては電極部３５がスライド上方向にスライドしつつ外刃２１、２３より高くなって皮膚から離反することなく当接状態を維持しつつ電圧を印加することができる。
【００５８】
（本発明の第３の実施形態）
本発明の第３の実施形態に係る電気かみそりについて、図８に基づき説明する。図８は本実施形態に係る電気かみそりのかみそりヘッドの概要図である。ここで、図８（ａ）、図８（ｂ）、図８（ｃ）それぞれに対応して、要部拡大図となる図８（ａ）´、図８（ｂ）´、図８（ｃ）´が記載されている。
前記第１の実施形態に係る電気かみそりのかみそりヘッドの概要図は図８（ａ）に示す通りで、内刃２０、２２がロータリ式内刃となって刃部分が往復式内刃と異なり直線でなく曲折して形成されている。ロータリ式内刃のように曲折して形成されることにより、ロータリ式電気かみそりはひげを引き切るように切断することができる。したがって、ロータリ式内刃であれば曲折して形成されているので、前記電極部の電圧印加によるクレンジングにより生じた汚れを若干回収することもできる。本実施形態では、さらに前記汚れを回収して皮膚を清潔にし、ひげを切断し易くしたものである。図８（ｂ）に示すように、７個の切断刃のうち２個を回収用に特化させたものであり、２個の切断刃の先端を鉤状に形成して老廃物回収部としている。この先端により前記汚れをより回収することができる。また、図８（ｃ）に示すように、２個の切断刃部分に先端をブラシにした回収部材を新たに設け老廃物回収部とした構成にすることもできる。この図８（ｂ）及び図８（ｃ）においては、前内刃２０の切断を異なる構成としたが、これは後外刃２３が電極部として機能した場合に、まず後外刃２３でクレンジングし、後内刃２２である程度よごれを取り、さらに、前内刃２０の回収用切断刃又は回収部材によりよごれを確実にし、皮膚をケアすることができる。
【００５９】
このように本実施形態に係る電気かみそりによれば、内刃が老廃物回収部であるので、通常内刃で剃った毛がかみそりヘッド２内に落下し蓄積していき、清掃により破棄されるが、剃った毛と同様に老廃物も廃棄され、別途の清掃を必要としない。
なお、本実施形態に係る電気かみそりは、前内刃２０に老廃物回収部を設けたが、後内刃２２に老廃物回収部に設けることもでき、後外刃２３で電圧を印加し老廃物を表出させ、後内刃２２の老廃物回収部で老廃物を回収し、前内刃２０及び前外刃２１により切断し易くなったひげを確実に切断することができる。
【００６０】
また、本実施形態に係る電気かみそりは、切断刃を老廃物回収部とすることなく、図９に示す通り、別途老廃物回収部３６を老廃物回収部つまみ３７と共に形成することもでき、キワゾリつまみ１１及びキワゾリ刃１２と同様にスライドさせて使用することもできる。この場合には切断刃を用いるのと比べ、老廃物回収部の手入れ（すなわち回収した老廃物清掃）が容易となる。また、老廃物回収部３６にコットンパフを嵌めてかかるコットンパフで老廃物を回収することもでき、コットンパフの交換で手入れが完了する。また、本体ケース１前面に老廃物回収部３６を形成したが、センター刃２７部分でもよいし、キワゾリ刃１２部分であってもよい。
【００６１】
また、本実施形態に係る電気かみそりは、往復刃であるセンター刃２７を曲折して設け老廃物回収部として機能させることもでき、前内刃２０及び前外刃２１により清掃された皮膚のひげを円滑に切断することができる。
また、本実施形態に係る電気かみそりは、前内刃２０全ての切断刃を回収用に特化させ、内刃２０全体を老廃物回収部として機能させることもでき、内刃の交換は前内刃２０、後内刃２２それぞれで行うため、老廃物回収の機能が果たせなくなった時点で前内刃２０を交換することで、再び老廃物回収の機能を回復することができる。前内刃２０の切断刃の一部を回収用に特化させた場合には、切断するための切断刃の切れ味と、老廃物回収するための切断刃の回収能力のいずれかが駄目になり、一方はまだ使えるにも拘らず交換しなければならない事態となってしまう。
【００６２】
（本発明の第４の実施形態）
本発明の第４の実施形態に係る脱毛器について、図１０に基づき説明する。図１０は本実施形態に係る脱毛器の斜視図である。
本実施形態で用いる脱毛器は、美容などで体毛を取り除くために使用されるものであり、その脱毛器の中でも、円板状の複数枚の回転爪４０を有し、回転爪４０が枢軸されている軸が回転する度に回転爪４０を構成する可動爪４１、固定爪４２のうち可動爪４１が回転軸方向に揺動し、可動爪４１同士が、又は、可動爪４１と固定爪４２とが対応を挟み、挟んだ状態で回転方向に引き抜く構成である。
【００６３】
以上は、回転爪式脱毛器の一般的な構成であるが、本実施形態に係る脱毛器は、可動爪４１を電極部とする構成である。可動爪４１及び固定爪４２が回転方向に回転するが、体毛と接触するのは脱毛器上部の開口部分であるので、開口部分にきた場合にだけ電圧を印加する構成とする。このような構成とした場合には、体毛を挟持した状態で体毛に直接電圧を印加することができ、毛根にダメージを与えて毛を脱毛した後に、次回体毛が生えてくるまでの期間を長くすることができる。したがって、一旦脱毛するとしばらくの間脱毛をしなくてよい。従来から、ピンセットのように体毛を一本一本挟み込み、電流を流し毛根を根絶するタイプの脱毛器はあったが、回転爪式脱毛器に適用することで大量の体毛を迅速に処理することができる。ここで、ピンセット式脱毛器と比べると、与えることができる電圧値が低いので、毛根の根絶まではいかないまでも毛を構成する毛幹、毛根、毛球、毛乳頭にダメージを与え、毛の成長スピードを鈍くすることができる。
【００６４】
なお、本実施形態に係る脱毛器においては、可動爪４１を電極部とした構成であったが、固定爪４２を電極部とした構成にすることもできる。
また、本実施形態に係る脱毛器においては、電源ボタンが形成されている脱毛器の前面上部で開口部周辺に別途電極部を形成することもでき、電極部で皮膚をクレンジングし皮膚の汚れが毛穴から取れた状態で円滑に脱毛することもできる。さらに、脱毛器の背面上部で開口部周辺に図９に示す老廃物回収部を設け、電極部で皮膚をクレンジングし皮膚の汚れが毛穴から取れた状態で円滑に脱毛し、脱毛した皮膚は毛穴が開口した状態となってばい菌が進入し炎症しやすいが、老廃物回収部にて清潔にすることでばい菌の進入を防止することができる。
【図面の簡単な説明】
【００６５】
【図１】本発明の第１の実施形態に係る電気かみそりの正面図である。
【図２】本発明の第１の実施形態に係る電気かみそりの側面図である。
【図３】本発明の第１の実施形態に係る電気かみそりの上部構造説明図である。
【図４】本発明の第１の実施形態に係る電気かみそりの各構成要素の分解説明図である。
【図５】本発明の第１の実施形態に係る電気かみそりのパルス波形図である。
【図６】本発明の第１の実施形態に係る電気かみそりの動作説明図である。
【図７】本発明の第２の実施形態に係る電気かみそりの側面図である。
【図８】本発明の第３の実施形態に係る電気かみそりのかみそりヘッドの概要図である。
【図９】本発明の第３の実施形態に係る電気かみそりの側面図である。
【図１０】本発明の第４の実施形態に係る脱毛器の斜視図である。
【図１１】背景技術となる電気かみそりのかみそりヘッドの概要図である。
【図１２】背景技術となる外刃の展開状態での平面図である。
【図１３】背景技術となる外刃の展開状態での平面図である。
【符号の説明】
【００６６】
１  本体ケース
２  かみそりヘッド
３  電装ユニット
４  電源スイッチ
５  セレクトボタン
６  ロックつまみ
７  モードインジケーター
８  センサーランプ
９  残量表示ランプ
１０  充電完了ランプ
１１  キワゾリつまみ
１２  キワゾリ刃
２０  （前に配置された）内刃
２１  （前に配置された）外刃
２２  （後に配置された）内刃
２３  （後に配置された）外刃
２４  モータ
２５  ヘッドフレーム
２６  外刃ホルダー
２６ａ  内ケース
２６ｂ  外ケース
２７  センター刃
２８  可動内刃
２９  固定外刃
３０  対極電極部
３１  内刃支持部
３２  内刃側金属片
３３  外刃側金属片
３４  電極つまみ
３５  電極部
３６  老廃物回収部
３７  老廃物回収部つまみ
３８  制御回路
３９  充電電池
４０  回転爪
４１  可動爪
４２  固定爪
１０１  本体ケース
１０２  第１内刃
１０３  第２内刃
１０７  第１外刃
１０８  第２外刃
１１３  内刃摺接部分
１１５  長孔
１２１  内刃摺接部分
１２２  短孔
【図１】
2006223535.tif 000003
【図２】
2006223535.tif 000004
【図３】
2006223535.tif 000005
【図４】
2006223535.tif 000006
【図５】
2006223535.tif 000007
【図６】
2006223535.tif 000008
【図７】
2006223535.tif 000009
【図８】
2006223535.tif 000010
【図９】
2006223535.tif 000011
【図１０】
2006223535.tif 000012
【図１１】
2006223535.tif 000013
【図１２】
2006223535.tif 000014
【図１３】
2006223535.tif 000015